(57)【特許請求の範囲】
【請求項１】
本体部と、この本体部を支持するバンド部と、を備え、上記バンド部を腕に装着可能なリスト装着式針保持具であって、
上記本体部は、永久磁石体と、当該永久磁石体を収容するとともに、上記永久磁石体の磁力を利用して裁縫用針を吸着保持する吸着面が頂部に設けられ、底部において上記バンド部に支持されるケースと、を備え、
上記バンド部は、全体として帯板状を有しており、真直状に延びた第１の形態と、長手方向に湾曲してリング状となる第２の形態とに変形し、かつそれらの形態を保持可能であり、
上記バンド部は、バネ鋼板からなり、帯板状に形成された可撓板と、上記可撓板の外表面を覆い、可撓性を有する材料からなる被覆材と、を備え、
上記可撓板は、その長手方向両端部を互いに接近させて全体をリング状とするようにこの可撓板をその長手方向に湾曲させる第１のバネ性を有するとともに、この可撓板が真直状に延ばされたときには上記第１のバネ性が抑えられてこの可撓板の延びた形状が保持されるように、この可撓板が長手方向に湾曲したときに外面となる片面を凹面状に窪ませる状態にこの可撓板を短手方向に湾曲させる第２のバネ性を有しており、
上記ケースの上記底部には、この底部との間に所定の隙間を隔てて位置する支持板が設けられており、
上記支持板と上記底部との間に上記バンド部を挿通することにより上記バンド部に上記本体部が支持されるよう構成されており、
上記バンド部が上記第１の形態をとるとき、このバンド部における長手方向および短手方向のいずれにも直角である高さ方向の寸法は、上記支持板と上記底部との間の寸法よりも大であり、
上記本体部は、上記第１の形態をとる上記バンド部に対して所定の摩擦抵抗をもって相対移動可能とされている、リスト装着式針保持具。
【請求項２】
上記永久磁石体は、上記底部から上記頂部に向かう第１方向と直角である第２方向において離間する第１および第２の永久磁石体を含み、
上記吸着面は、上記第１および第２の永久磁石体にそれぞれ対応して位置する第１および第２の吸着面を含み、
上記頂部における上記第１の吸着面と第２の吸着面との間には、上記第１方向および第２方向のいずれにも直角である第３方向に延びる凹部が設けられている、請求項１に記載のリスト装着式針保持具。
【請求項３】
上記第１および第２の永久磁石体は、上記第１および第２の吸着面にそれぞれ臨む磁極の極性が互いに反対である、請求項２に記載のリスト装着式針保持具。
【請求項４】
上記第３方向は、上記バンド部の長手方向に沿う、請求項３に記載のリスト装着式針保持具。
【発明の詳細な説明】
【技術分野】
【０００１】
本発明は、裁縫用の縫い針や待ち針などの針類（裁縫用針）の保持具に関し、特に腕に装着できるように構成されたリスト装着式針保持具に関する。
【背景技術】
【０００２】
縫い針や待ち針などの裁縫用針は、一般に、不使用時にはクッション材などで形成された針山に突き刺して当該針山に保持させられる。また、クッション材からなる針山に代えて、磁石の磁力を利用して裁縫用針などを吸着保持可能に構成された針保持具も提案されている（たとえば特許文献１を参照）。磁石を用いた針保持具によれば、金属製である裁縫用針を、集合させた状態で強固に保持することができる。
【０００３】
一方、裁縫作業時において、使用者の腕（主に手首部分）に装着できるように構成されたリスト装着式の針保持具も知られている（たとえば特許文献２を参照）。特許文献２に示されたリスト装着式針保持具は、同文献の図９に表れているように、手首に巻き付けることが可能なバンド部と、このバンド部に支持された本体部とを備えている。本体部は、半球状に形成されたクッション材を備えて構成されている。使用時には、本体部のクッション材に複数の裁縫用針を刺して保持させることができ、また、クッション材に保持された裁縫用針を抜いて裁縫作業に用いることができる。このようなリスト装着式針保持具によれば、使用者にとって手元に近いところで裁縫用針の保持等の動作を行うことができる。
【０００４】
しかしながら、上記特許文献２に記載されたリスト装着式針保持具においては、取り扱う裁縫用針の本数が多いと、裁縫用針を本体部に保持させ、あるいは裁縫用針を本体部から抜き取る作業が煩わしいものとなっており、使い勝手の面で改善の余地があった。
【先行技術文献】
【特許文献】
【０００５】
【特許文献１】実用新案登録第３１０１７３６号公報
【特許文献２】実用新案登録第３０４３１４４号公報
【発明の概要】
【発明が解決しようとする課題】
【０００６】
本発明は、このような事情のもとで考え出されたものであって、使い勝手の良いリスト装着式針保持具を提供することを課題とする。
【課題を解決するための手段】
【０００７】
上記の課題を解決するため、本発明では、次の技術的手段を講じている。
【０００８】
本発明によって提供されるリスト装着式針保持具は、本体部と、この本体部を支持するバンド部と、を備え、上記バンド部を腕に装着可能なリスト装着式針保持具であって、上記本体部は、永久磁石体と、当該永久磁石体を収容するとともに、上記永久磁石体の磁力を利用して裁縫用針を吸着保持する吸着面が頂部に設けられ、底部において上記バンド部に支持されるケースと、を備え、上記バンド部は、全体として帯板状を有しており、真直状に延びた第１の形態と、長手方向に湾曲してリング状となる第２の形態とに変形し、かつそれらの形態を保持可能であり、上記バンド部は、バネ鋼板からなり、帯板状に形成された可撓板と、上記可撓板の外表面を覆い、可撓性を有する材料からなる被覆材と、を備え、上記可撓板は、その長手方向両端部を互いに接近させて全体をリング状とするようにこの可撓板をその長手方向に湾曲させる第１のバネ性を有するとともに、この可撓板が真直状に延ばされたときには上記第１のバネ性が抑えられてこの可撓板の延びた形状が保持されるように、この可撓板が長手方向に湾曲したときに外面となる片面を凹面状に窪ませる状態にこの可撓板を短手方向に湾曲させる第２のバネ性を有しており、上記ケースの上記底部には、この底部との間に所定の隙間を隔てて位置する支持板が設けられており、上記支持板と上記底部との間に上記バンド部を挿通することにより上記バンド部に上記本体部が支持されるよう構成されており、上記バンド部が上記第１の形態をとるとき、このバンド部における長手方向および短手方向のいずれにも直角である高さ方向の寸法は、上記支持板と上記底部との間の寸法よりも大であり、上記本体部は、上記第１の形態をとる上記バンド部に対して所定の摩擦抵抗をもって相対移動可能とされている。
【０００９】
本発明の好ましい実施の形態においては、上記永久磁石体は、上記底部から上記頂部に向かう第１方向と直角である第２方向において離間する第１および第２の永久磁石体を含み、上記吸着面は、上記第１および第２の永久磁石体にそれぞれ対応して位置する第１および第２の吸着面を含み、上記頂部における上記第１の吸着面と第２の吸着面との間には、上記第１方向および第２方向のいずれにも直角である第３方向に延びる凹部が設けられている。
【００１０】
本発明の好ましい実施の形態においては、上記第１および第２の永久磁石体は、上記第１および第２の吸着面にそれぞれ臨む磁極の極性が互いに反対である。
【００１１】
本発明の好ましい実施の形態においては、上記第３方向は、上記バンド部の長手方向に沿う。
【００１５】
本発明のその他の特徴および利点は、添付図面を参照して以下に行う詳細な説明によって、より明らかとなろう。
【図面の簡単な説明】
【００１６】
【図１】本発明に係るリスト装着式針保持具の一例を示す斜視図である。
【図２】図１に示すリスト装着式針保持具の分解斜視図である。
【図３】図１に示すリスト装着式針保持具の平面図である。
【図４】図１に示すリスト装着式針保持具の正面図である。
【図５】図１に示すリスト装着式針保持具の部分側面図である。
【図６】図３のＶＩ−ＶＩ線に沿う拡大断面図である。
【図７】図４のＶＩＩ−ＶＩＩ線に沿う要部拡大断面図である。
【図８】バンド部を構成する可撓板の斜視図である。
【図９】バンド部を構成する可撓板を変形させる状態を示す説明図である。
【図１０】バンド部を構成する可撓板を変形させる状態を示す斜視図である。
【図１１】バンド部の寸法を説明するための図であり、本体部とバンド部とを分離した状態を示す正面図である。
【図１２】図１に示すリスト装着式針保持具の使用状態を示す斜視図である。
【図１３】図１に示すリスト装着式針保持具の使用状態を示す斜視図である。
【図１４】図１に示すリスト装着式針保持具の使用状態を示す斜視図である。
【図１５】図１に示すリスト装着式針保持具の使用状態を示す斜視図である。
【発明を実施するための形態】
【００１７】
以下、本発明の好ましい実施の形態について、図面を参照して具体的に説明する。
【００１８】
図１〜図７は、本発明に係るリスト装着式針保持具の一例を示している。本実施形態のリスト装着式針保持具Ａは、本体部１と、この本体部１を支持するバンド部２とを備えて構成されている。
【００１９】
本体部１は、ケース１０と、磁性部材１１と、２個の永久磁石体１２，１３とを備え、永久磁石体１２，１３の磁力を利用して待ち針などの裁縫用針を吸着保持するものである。ケース１０は、下部ケース１０１および上部ケース１０２を組み合わせることによって中空のケース状に組み立てられたものであり、磁性部材１１および永久磁石体１２，１３を内部に収容している。
【００２０】
ケース１０（下部ケース１０１および上部ケース１０２）は、たとえば、ＡＢＳ樹脂（アクリロニトリル−ブタジエン−スチレン樹脂）などの所定の強度を有する合成樹脂からなり、下部ケース１０１および上部ケース１０２は、たとえば超音波溶着あるいは接着などの手法により一体的に接合されている。本実施形態では、ケース１０は、平面視において略楕円形状（図１〜図３におけるｘ方向が長径、ｙ方向が短径）とされている。ケース１０の寸法の一例を挙げると、楕円形をなす長径が５７ｍｍ程度、短径が５１ｍｍ程度である。
【００２１】
図２に表れているように、下部ケース１０１は、平面視略楕円形状の底部１０１ａと、底部１０１ａの外周縁から上方に延びる外周壁１０１ｂと、外周壁１０１ｂの内側において底部１０１ａから上方に突出する突出部１０１ｃ，１０１ｄ，１０１ｅ，１０１ｆ，１０１ｇとを有する。突出部１０１ｃと突出部１０１ｄ，１０１ｅ，１０１ｆ，１０１ｇとは、互いの高さが異なっている。突出部１０１ｃは、平面視において矩形枠状とされており、その先端に磁性部材１１を載置するためのものである。突出部１０１ｄ，１０１ｅ，１０１ｆ，１０１ｇは、磁性部材１１および永久磁石体１２，１３を位置決めするためのものである。
【００２２】
上部ケース１０２は、平面視略楕円形状の頂部１０２ａと、頂部１０２ａの外周縁から下方に延びる外周壁１０２ｂと、外周壁１０２ｂの内側において頂部１０２ａから下方に突出する突出部１０２ｃ，１０２ｄ，１０２ｅ，１０２ｆとを有する。
【００２３】
頂部１０２ａの上面部分には、ｘ方向において互いに離間する吸着面１０３，１０４が設けられている。吸着面１０３，１０４は、永久磁石体１２，１３のそれぞれに対応して位置しており、本体部１の高さ方向（底部１０１ａから頂部１０２ａに向かうｚ方向）において永久磁石体１２，１３と重なっている。本実施形態において、ｘ方向とｚ方向とは、互いに直角である。
【００２４】
頂部１０２ａにおける吸着面１０３，１０４の間には、ｙ方向（ｚ方向およびｘ方向のいずれにも直角である方向）に延びる凹部１０５が設けられている。図１、図６に表れているように、本実施形態において、凹部１０５は、断面が略円弧形状であり、頂部１０２ａのｙ方向における全長にわたって延びている。なお、凹部１０５の形状は断面円弧形状に限定されず、種々な形状を採用することができる。
【００２５】
ケース１０は、下部ケース１０１の底部１０１ａにおいてバンド部２に支持されている。底部１０１ａには、支持板１０６が設けられている。支持板１０６は、互いに離間して底部１０１ａから下方に延びる下垂板１０７，１０８の先端につながっており、底部１０１ａとの間に所定の隙間を隔てて位置する。詳細は後述するが、本実施形態においては、図４〜図７に表れているように、支持板１０６と底部１０１ａとの間にバンド部２を挿通することにより、ケース１０（本体部１）がバンド部２に支持されている。
【００２６】
磁性部材１１は、その上面に載置される永久磁石体１２，１３による磁場が下方に広がるのを防止するためのものである。磁性部材１１は、平面視矩形の薄板状とされており、たとえば鉄や鉄系合金などの強磁性材料からなる。なお、磁性部材１１については、鉄以外の強磁性材料によって構成することもできる。
【００２７】
永久磁石体１２，１３は、磁性部材１１の上面に載置されており、ｘ方向において互いに離間している。永久磁石体１２，１３は、たとえばやや偏平な四角柱形状とされており、たとえばフェライト磁石からなる。永久磁石体１２，１３は、ケース１０内において、突出部１０１ｄ〜１０１ｇ，１０２ｃ〜１０２ｆによって位置決めされている。
【００２８】
本実施形態において、２個の永久磁石体１２，１３は、吸着面１０３，１０４にそれぞれ臨む上面側の磁極の極性（Ｎ極およびＳ極）が互いに反対となるように配置されている。これにより、永久磁石体１２，１３の両磁極面（上面）の間には、これら両磁極面を結ぶように磁力線が密集する。
【００２９】
バンド部２は、帯板状の可撓板２０と、この可撓板２０の外表面を覆う被覆材２１とを備えて構成されており、全体として帯板状とされている。被覆材２１は、ゴムあるいは軟質樹脂などの可撓性を有する材料からなる。ここで、可撓性を有する材料とは、後述する可撓板２０の変形に追従して弾性変形する材料である。このような材料としては、たとえばシリコーンゴムを挙げることができる。可撓板２０が被覆材２１によって覆われた構成のバンド部２は、たとえばインサート成形によって得ることができる。
【００３０】
可撓板２０は、薄板状のバネ鋼板からなる。この可撓板２０は、図１ないし図８に示すように、全体が真直状に延びた第１の形態と、図１０の実線に示すように、長手方向両端部２０ａ，２０ａが互いに接近して全体がリング状に湾曲した第２の形態とに変形可能であるとともに、それらの形態を保持可能に構成されたものである。より具体的には、この可撓板２０は、図１０の符号Ｆ１，Ｆ１で示す弾発力を発揮し、この可撓板２０の長手方向両端部２０ａ，２０ａを互いに接近させるようにこの可撓板２０を長手方向に湾曲させる第１のバネ性を有している。さらに、可撓板２０は、同図仮想線で示すとおり、この可撓板２０の片面２０ｂが所定の曲率半径Ｒの凹面状に窪むように、この可撓板２０をその短手方向に湾曲させる弾発力Ｆ２，Ｆ２を発揮する第２のバネ性をも有している。凹面状に窪む片面２０ｂは、可撓板２０の表裏両面のうち、この可撓板２０が図１０の実線で示すように湾曲したときに外面となる片面である。
【００３１】
可撓板２０は、上記した第１のバネ性と第２のバネ性を有している結果、次のような変形動作が可能である。すなわち、可撓板２０を弾発力Ｆ１，Ｆ１に抗して真直状に延ばしたときには、この可撓板２０が第２のバネ性によってその短手方向に湾曲することによって、第１のバネ性が抑えられ、真直状に延びた形態がそのまま保持される。また、このように可撓板２０が真直状に延びた形態において、図９の仮想線に示すように、短手方向に湾曲した可撓板２０の一部に力Ｆを加えて、弾発力Ｆ２，Ｆ２に抗してこの可撓板２０の短手方向の形状を非湾曲状（真直状）にすると、可撓板２０は第１のバネ性を発揮し、図１０の実線に示したように、弾発力Ｆ１，Ｆ１によって全体がリング状に湾曲することとなる。この湾曲時においては、可撓板２０は、その短手方向に湾曲していない。バンド部２は、可撓板２０を主要構成部材としているために、可撓板２０と同様に、上述した第１の形態と第２の形態とに変形し、かつそれらの形態を保持可能である。
【００３２】
本実施形態においては、上述したように、ケース（本体部１）の支持板１０６と底部１０１ａとの間にバンド部２を挿通することにより、本体部１がバンド部２に支持される。このように、本体部１とバンド部２とは、互いに着脱可能とされている。
【００３３】
図１１に表れているように、バンド部２が、全体が真直状に延びた第１の形態をとるとき、バンド部２の長手方向および短手方向のいずれにも直角である高さ方向の寸法Ｌ１は、支持板１０６と底部１０１ａとの間の寸法Ｌ２より僅かに大である。
【００３４】
ここで、支持板１０６と底部１０１ａとの間にバンド部２を挿通すると、バンド部２においては、支持板１０６および底部１０１ａによって表面の被覆材２１が圧接しつつ、可撓板２０の短手方向の湾曲の度合い（曲率）が僅かに小さくなるように当該可撓板２０が僅かに変形する。このとき、可撓板２０は、この可撓板２０を短手方向に湾曲させる第２のバネ性が発揮されている。これにより、本体部１がバンド部２に支持されると、バンド部２は、その全体が真直状に延びた第１の形態を保持しつつ、本体部１は、バンド部２に対して所定の摩擦抵抗をもって相対移動させることができる。
【００３５】
図１、図３に表れているように、本実施形態では、本体部１がバンド部２に支持された状態において、本体部１の凹部１０５が延びる方向（ｙ方向）は、バンド部２の長手方向に沿っている。
【００３６】
次に、上記構成のリスト装着式針保持具Ａの使用例および作用について、図１２〜図１５を参照して説明する。
【００３７】
リスト装着式針保持具Ａを使用するときには、このリスト装着式針保持具Ａを図１に示した形態に設定した後に、図１２に示すように、そのリスト装着式針保持具Ａを使用者の腕（手首）の上に置き、その後、真直状に延びた状態のバンド部２の一部を上方から押圧すればよい。すると、可撓板２０の第１のバネ性が発揮されることとなって、バンド部２がその長手方向にリング状に湾曲し、リスト装着式針保持具Ａを使用者の腕に装着することができる。このように、リスト装着式針保持具Ａは、いわゆるワンタッチ作業によって、使用者の腕に適切に装着でき、その装着作業が非常に容易となる。
【００３８】
リスト装着式針保持具Ａに待ち針などの裁縫用針を保持させる際には、図１３に示すように、本体部１の頂部１０２ａに裁縫用針（以下、針Ｎという）を置くだけで、針Ｎは、本体部１の内部に収容された永久磁石体１２，１３の磁力によって吸着面１０３，１０４に吸着保持される。したがって、本実施形態のリスト装着式針保持具Ａによれば、使用者の腕にワンタッチ作業によって装着できるとともに、針Ｎを素早く保持させることができるので、使い勝手が良い。特に、リスト装着式針保持具Ａに多数本の針Ｎ（待ち針）を順次保持させる作業において、クッション材からなる針保持具に保持させる場合と比べてクッション材に針を刺す作業が不要であるので、使い勝手の面で有利である。
【００３９】
永久磁石体１２，１３は、吸着面１０３，１０４にそれぞれ臨む磁極の極性が互いに反対である。このような構成によれば、永久磁石体１２，１３によって生じる磁力線の関係により、針Ｎは、２個の永久磁石体１２，１３を結ぶ線と略平行に、吸着面１０３，１０４に跨る姿勢にて保持される。そして、吸着面１０３，１０４の間には、凹部１０５が設けられている。この凹部１０５は、吸着面１０３，１０４が互いに離間するｘ方向と直角であるｙ方向に延びている。このため、吸着保持された針Ｎは、凹部１０５と交差する姿勢をとり、不規則な方向を向くことはない。
【００４０】
また、永久磁石体１２，１３が磁性部材１１の上面に載置されているため、永久磁石体１２，１３による磁場が下方に広がることは防止される。これにより、本体部１の底部１０１ａなどの意図しない部位において針Ｎが吸着保持されることはない。さらに、永久磁石体１２，１３の下方への磁場の広がりが防止されることに起因して、永久磁石体の１２，１３の上面の両磁極面間においては、磁力線が密集する作用が増強される。したがって、針Ｎは、吸着面１０３，１０４においてより確実に保持される。
【００４１】
上記構成によれば、本体部１に吸着された針Ｎと、凹部１０５との間には、隙間がある。このため、図１４において仮想線で示すように、吸着保持された針Ｎを吸着面１０３，１０４から取り外す場合には、針Ｎを指先で容易に摘むことができる。このことは、使い勝手の面でより有利である。
【００４２】
本実施形態において、凹部１０５が延びる方向（ｙ方向）は、バンド部２の長手方向に沿っている。このため、リスト装着式針保持具Ａを使用者の腕に装着した状態において、腕が延びる方向と略直角である方向に凹部１０５が延びることとなる。したがって、図１４から理解することができるように、吸着保持された針Ｎを指先で摘む際に、使用者から目視にて針Ｎの状況を確認しやすく、また、無理のない自然な手の動きにより針Ｎを摘むことができる。このことは、リスト装着式針保持具Ａの使い勝手を良くするうえでより好ましい。
【００４３】
本実施形態のリスト装着式針保持具Ａにおいて、本体部１は、バンド部２に対して所定の摩擦抵抗をもって相対移動可能であるため、次のような使用が可能となる。まず、リスト装着式針保持具Ａを、腕に装着せずに図１に示した形態にする。ここで、バンド部２は、全体が略真直に延びた第１の形態をとっており、このバンド部２に対して本体部１を、バンド部２の長手方向一端部寄りにずらす。次に、リスト装着式針保持具Ａを上下裏返し、バンド部２の長手方向他端部を手で掴む。このようにすると、図１５に示すように、吸着面１０３，１０４が下側を向いており、たとえば机上等に散乱した針Ｎに吸着面１０３，１０４を近づけることにより、針Ｎを当該吸着面１０３，１０４に吸着させて回収するといった使用が可能になる。
【００４４】
ここで、本体部１はバンド部２に対して容易に位置ずれすることはない。図１５に示すように本体部１をバンド部２の端部寄りに配置させておくと、広範囲に散らばった針Ｎを効率よく回収することができる。また、図１５に示す使用状態においては、たとえば腕が入らないような狭い隙間に本体部１を進入させることができ、当該隙間にある針Ｎをも回収することが可能である。
【００４５】
以上、本発明の実施形態を説明したが、本発明の技術的範囲は上記した実施形態に限定されるものではない。本発明に係るリスト装着式針保持具の各部の具体的な構成は、発明の思想から逸脱しない範囲内で種々な変更が可能である。
【符号の説明】
【００４６】
Ａ        リスト装着式針保持具
Ｎ        針
ｘ        （第２）方向
ｙ        （第３）方向
ｚ        （第１）方向
１        本体部
２        バンド部
１０      ケース
１１      磁性部材
１２      （第１の）永久磁石体
１３      （第２の）永久磁石体
２０      可撓板
２０ａ    端部
２０ｂ    片面
２１      被覆材
１０１    下部ケース
１０１ａ  底部
１０１ｂ  外周壁
１０１ｃ，１０１ｄ，１０１ｅ，１０１ｆ，１０１ｇ  突出部
１０２    上部ケース
１０２ａ  頂部
１０２ｂ  外周壁
１０２ｃ，１０２ｄ，１０２ｅ，１０２ｆ
１０３    （第１の）吸着面
１０４    （第２の）吸着面
１０５    凹部
１０６    支持板
１０７，１０８  下垂板
【図１】
0005576914.tif 000002
【図２】
0005576914.tif 000003
【図３】
0005576914.tif 000004
【図４】
0005576914.tif 000005
【図５】
0005576914.tif 000006
【図６】
0005576914.tif 000007
【図７】
0005576914.tif 000008
【図８】
0005576914.tif 000009
【図９】
0005576914.tif 000010
【図１０】
0005576914.tif 000011
【図１１】
0005576914.tif 000012
【図１２】
0005576914.tif 000013
【図１３】
0005576914.tif 000014
【図１４】
0005576914.tif 000015
【図１５】
0005576914.tif 000016